(57)【要約】【課題】壁掛けタイプの表示装置の周辺の照明に好適な照明ユニット及び照明装置を提供する。【解決手段】装置側壁掛け部材３０の両端部には、表示装置２０の背面に螺子で取り付けるための取付孔３１を設けてある。取付孔３１の寸法は、照明ユニットのアーム２の取付孔と同寸法である。装置側壁掛け部材３０は、螺子を取付孔３１に通して締め付けることにより表示装置２０の背面に取り付けられる。表示装置２０に装置側壁掛け部材３０を取り付ける際に、照明ユニットの取付孔を装置側壁掛け部材３０の取付孔３１に合わせて螺子を締め付けることにより、照明ユニットを取り付けることができる。装置側壁掛け部材３０と照明ユニットが取り付けられた表示装置２０を壁側壁掛け部材４０の方へ近づけることにより、装置側壁掛け部材３０を壁側壁掛け部材４０に固定する。【選択図】図２
2009259640.tif 000002
【特許請求の範囲】
【請求項１】
光源を備える光源部と、
該光源部を支持する支持部と、
該支持部を適宜の装着部材に取り付けるための取付部と
を備えることを特徴とする照明ユニット。
【請求項２】
前記支持部は、
棒状体であって一端側に前記光源部を支持しており、他端側に前記取付部を設けてあり、
前記取付部は、
照明対象が装着される装着部材に取り付けるように構成してあることを特徴とする請求項１に記載の照明ユニット。
【請求項３】
前記支持部を前記装着部材に取り付けた状態で、前記光源部が前記照明対象から離隔することを特徴とする請求項２に記載の照明ユニット。
【請求項４】
前記支持部は、
中途部を屈曲してあることを特徴とする請求項３に記載の照明ユニット。
【請求項５】
前記支持部は、
中途部に前記光源の向きを設定するための設定部材を備えることを特徴とする請求項３に記載の照明ユニット。
【請求項６】
前記支持部を前記装着部材に取り付けた状態で、前記照明対象の周辺を照明するように構成してあることを特徴とする請求項２から請求項５までのいずれか１項に記載の照明ユニット。
【請求項７】
前記支持部を適長離隔して前記光源部に複数固定してあり、
各支持部の前記取付部同士の取り付け間隔を調節するための調節部材を備えることを特徴とする請求項１から請求項６までのいずれか１項に記載の照明ユニット。
【請求項８】
前記取付部は、
前記支持部に形成された取付孔であり、
前記調節部材は、
板状であり、適長離隔した前記取付孔と略同寸法の孔を複数設けてあることを特徴とする請求項７に記載の照明ユニット。
【請求項９】
光源を備える光源部と、
該光源部を支持する支持部と、
該支持部に取り付けられ、照明対象を壁体に装着するための壁掛け部材と
を備えることを特徴とする照明ユニット。
【請求項１０】
請求項１から請求項９までのいずれか１項に記載の照明ユニットを複数備え、
各照明ユニットの取り付け位置に応じて各照明ユニットの光源の光量を設定するための光量設定手段を備えることを特徴とする照明装置。
【発明の詳細な説明】
【技術分野】
【０００１】
本発明は、壁等に装着される表示装置の周辺の照明を行う照明ユニット及び照明装置に関する。
【背景技術】
【０００２】
近年、液晶表示装置やＥＬ（Electroluminescence）表示装置等の表示装置の高性能化及びデジタル放送技術の進展による放送配信技術の発達により、高品質な映像を観賞することができる環境が整備されつつある。また、臨場感を高めて映画等の映像を観賞する方法の一つとして、表示装置が設置された室内の照明の明るさ（照度）を下げて観賞する方法がある。
【０００３】
例えば、室内の照明の明るさを下げて観賞する場合に、観賞者が表示装置の画面を見た場合に表示装置の周辺を明るくする間接照明を行うことにより、より高い臨場感を感じて映像を観賞することができる据え置きタイプの照明装置が開示されている（特許文献１参照）。
【０００４】
一方で、このような表示装置は薄型化が進んでおり、家庭内で手軽にホームシアターを楽しむため、あるいは、表示装置による専有空間を減らして室内のスペースを有効活用するため、壁に取り付けることができる壁掛けタイプの表示装置の需要が見込まれる。
【特許文献１】特開２００６−１９０９５号公報
【発明の開示】
【発明が解決しようとする課題】
【０００５】
特許文献１のように、従来、据え置きタイプの表示装置の周辺を明るくする間接照明は検討されているものの、壁掛けタイプの表示装置に対する間接照明はほとんど検討されていない。壁掛けタイプの表示装置の周辺を間接照明するために、照明器具を表示装置に取付ける方法としては、例えば、両面テープ等で直接固定する方法が考えられるが、表示装置が両面テープ等により汚れ、あるいは傷が付くおそれもあり、ユーザにとって好ましい方法であるとはいえない。また、照明器具を表示装置に直接固定した場合、照明器具からの発熱と表示装置からの発熱とが相互に影響して両者に悪影響を及ぼす可能性もある。このため、壁掛けタイプの表示装置に適した間接照明用の照明器具が望まれていた。
【０００６】
本発明は斯かる事情に鑑みてなされたものであり、壁掛けタイプの表示装置の周辺の照明に好適な照明ユニット及び該照明ユニットを備える照明装置を提供することを目的とする。
【課題を解決するための手段】
【０００７】
本発明に係る照明ユニットは、光源を備える光源部と、該光源部を支持する支持部と、該支持部を適宜の装着部材に取り付けるための取付部とを備えることを特徴とする。
【０００８】
本発明に係る照明ユニットは、前記支持部は、棒状体であって一端側に前記光源部を支持しており、他端側に前記取付部を設けてあり、前記取付部は、照明対象が装着される装着部材に取り付けるように構成してあることを特徴とする。
【０００９】
本発明に係る照明ユニットは、前記支持部を前記装着部材に取り付けた状態で、前記光源部が前記照明対象から離隔することを特徴とする。
【００１０】
本発明に係る照明ユニットは、前記支持部は、中途部を屈曲してあることを特徴とする。
【００１１】
本発明に係る照明ユニットは、前記支持部は、中途部に前記光源の向きを設定するための設定部材を備えることを特徴とする。
【００１２】
本発明に係る照明ユニットは、前記支持部を前記装着部材に取り付けた状態で、前記照明対象の周辺を照明するように構成してあることを特徴とする。
【００１３】
本発明に係る照明ユニットは、前記支持部を適長離隔して前記光源部に複数固定してあり、各支持部の前記取付部同士の取り付け間隔を調節するための調節部材を備えることを特徴とする。
【００１４】
本発明に係る照明ユニットは、前記取付部は、前記支持部に形成された取付孔であり、前記調節部材は、板状であり、適長離隔した前記取付孔と略同寸法の孔を複数設けてあることを特徴とする。
【００１５】
本発明に係る照明ユニットは、光源を備える光源部と、該光源部を支持する支持部と、該支持部に取り付けられ、照明対象を壁体に装着するための壁掛け部材とを備えることを特徴とする。
【００１６】
本発明に係る照明装置は、前述の発明のいずれか１つに係る照明ユニットを複数備え、各照明ユニットの取り付け位置に応じて各照明ユニットの光源の光量を設定するための光量設定手段を備えることを特徴とする。
【００１７】
本発明にあっては、照明ユニットは、光源を備える光源部と、光源部を支持する支持部と、支持部を適宜の装着部材に取り付けるための取付部とを備える。装着部材は、例えば、照明対象の一例としての表示装置を壁体に装着する際に用いられる壁掛け部材とすることができる。壁掛け部材（装着部材）を介して表示装置を壁体に装着する場合、取付部を壁掛け部材に取り付ける。取付部は、例えば、螺子孔でもよく、あるいは、支持部に設けられた螺子などでもよい。これにより、壁掛け部材を用いて表示装置を壁体に装着する際に照明ユニットを壁掛け部材に固定することができ、照明ユニットを直接表示装置に取り付けるための両面テープ等が不要となり、表示装置本体の汚れ又は傷などの発生を防止することができるとともに、照明ユニット及び表示装置の両者の発熱による悪影響も防止することができる。
【００１８】
本発明にあっては、支持部は、棒状体であって一端側に光源部を支持しており、他端側に取付部を設けてあり、取付部は、照明対象である表示装置が装着される壁掛け部材（装着部材）に取り付けるように構成してある。照明ユニットを取り付ける場合に新たな部材を必要としないため、表示装置を壁体に装着する場合、あるいは、すでに表示装置が壁体に装着された状態でも照明ユニットを容易に取り付けることができる。
【００１９】
本発明にあっては、支持部を壁掛け部材（装着部材）に取り付けた状態で、光源部が照明対象（例えば、表示装置の背面）から離隔するように構成してある。これにより、照明ユニットの光源が表示装置の背面と接触しないため、表示装置及び照明ユニットの両者の熱干渉を防止することができ、放熱効率も向上する。
【００２０】
本発明にあっては、支持部の中途部を屈曲してある。これにより、支持部を壁掛け部材（装着部材）に取り付けた状態で、光源部が照明対象（例えば、表示装置の背面）から離隔するように構成することができる。
【００２１】
本発明にあっては、支持部の中途部に光源の向きを設定するための設定部材を備える。設定部材は、例えば、ヒンジであり、支持部のヒンジを屈曲することにより光源の向きを設定することができる。なお、設定部材はヒンジに限らず、例えば、光源部を支持部の端部を支点として可動させるような部材でもよい。これにより、壁掛けタイプの表示装置の周辺を照明する場合であっても、表示装置の寸法、表示装置の壁体からの取付間隔などに関わらず、表示装置後方の壁体の所望の範囲を明るくすることができる。
【００２２】
本発明にあっては、照明ユニットは、支持部を壁掛け部材（装着部材）に取り付けた状態で、表示装置（照明対象）の周辺の壁体を照らすように構成してある。これにより、壁掛けタイプの表示装置に対する間接照明環境を観賞者に提供することができる。
【００２３】
本発明にあっては、照明ユニットは、支持部を適長離隔して光源部に複数固定してあり、各支持部の取付部同士の取り付け間隔を調節するための調節部材を備える。これにより、照明ユニットの定格又は寸法が異なることにより、支持部の取り付け間隔が異なる場合であっても、共通の壁掛け部材を用いて照明ユニットを取り付けることができる。
【００２４】
本発明にあっては、取付部は、支持部に形成された取付孔であり、調節部材は、板状であり、適長離隔した前記取付孔と略同寸法の孔を複数設けてある。支持部の取付孔を調節部材の孔に合わせることにより、支持部を調整部材に固定することができる。これにより、照明ユニットの定格又は寸法が異なることにより、支持部の取り付け間隔が異なる場合であっても、共通の壁掛け部材を用いて照明ユニットを取り付けることができる。
【００２５】
本発明にあっては、照明ユニットは、光源を備える光源部と、光源部を支持する支持部と、支持部に取り付けられ、照明対象（例えば、表示装置等の機器）を壁体に装着するための壁掛け部材とを備える。これにより、照明ユニットと壁掛け部材とを一体構造とすることができ、壁掛け部材を用いて表示装置を壁体に装着する際に照明ユニットも取り付けることができ、照明ユニットを直接表示装置に取り付けるための両面テープ等が不要となり、表示装置本体の汚れ又は傷などの発生を防止することができるとともに、照明ユニット及び表示装置の両者の発熱による悪影響も防止することができる。
【００２６】
本発明にあっては、複数の照明ユニットを取り付けるように構成してあり、各照明ユニットの取り付け位置に応じて各照明ユニットの光源の光量を設定するための光量設定手段を備える。例えば、表示装置の四辺の縁部付近に同一の照明ユニットを４個取り付ける場合、表示装置の上側縁部及び下側縁部付近に配置した照明ユニットの光源の光量が、左右縁部付近に配置した照明ユニットの光源の光量よりも多くなるように光量を設定する。これにより、表示装置の周辺の明るさを表示装置の上下左右の周辺で変えたい場合でも、光量又は大きさの異なる照明ユニットを取り付ける必要がなく、共通の照明ユニットを用いることができる。
【発明の効果】
【００２７】
本発明によれば、壁掛け部材を用いて表示装置を壁体に装着する際に照明ユニットを壁掛け部材に固定することができ、照明ユニットを直接表示装置に取り付けるための両面テープ等が不要となり、表示装置本体の汚れ又は傷などの発生を防止することができるとともに、照明ユニット及び表示装置の両者の発熱による悪影響も防止することができる。
【発明を実施するための最良の形態】
【００２８】
以下、本発明をその実施の形態を示す図面に基づいて説明する。図１は本発明に係る照明ユニット１０の外観斜視図である。図中、１は光源の収容部としてのフレームである。フレーム１は、例えば、一面が開口したアルミニウム製の箱体であり、光源（不図示）を収容してあり、開口した一面には、光源から発する光を適切に拡散するための合成樹脂製であって透明又は半透明等の拡散板３を設けてある。
【００２９】
光源は、例えば、矩形状の基板に直線状に表面実装された複数のＬＥＤモジュール（不図示）である。ＬＥＤモジュールは、例えば、赤色（Ｒ）ＬＥＤ素子、青色（Ｂ）ＬＥＤ素子、緑色（Ｇ）ＬＥＤ素子の三色のＬＥＤ素子をパッケージした表面実装型のパッケージＬＥＤである。ＲＧＢの各ＬＥＤ素子の発光強度を制御することができ、各色のＬＥＤ素子の発光強度（輝度）を調整することによって、ＬＥＤは複数色の照射が可能である。これにより、利用者の好みの色で照明対象の一例としての表示装置の周辺（後方の壁体など）を照明することができる。
【００３０】
なお、ここで、照明対象とは、照明ユニット１０又は複数の照明ユニット１０を備える照明装置により直接照明される対象をいうのではなく、照明ユニット１０又は前記照明装置により周辺が照明される対象である。また、照明対象としては、表示装置に限定されるものではなく、他の機器であってもよい。
【００３１】
また、ＬＥＤモジュールは、ＲＧＢのＬＥＤ素子からなるパッケージＬＥＤではなく、ＲＧＢの各色のＬＥＤチップであり、光源部にＲＧＢの各色のＬＥＤチップを並べた構成でもよい。なお、光源は、ＬＥＤモジュールに限定されるものではなく、蛍光灯又は冷陰極管等の他の光源を用いてもよい。ただし、ＬＥＤモジュールは指向性が強いので、表示装置の周辺の壁体を効率よく照射でき、照射方向の制御も容易である。なお、蛍光灯のように指向性が強くなく全方向に照射される光源を用いる場合には、フレーム１の内部に照射された光を反射する反射部材を設けることが好ましい。
【００３２】
フレーム１の両端側には、それぞれ支持部としてのアーム２の一端を固定してある。アーム２は、合成樹脂製の棒状体をなしている。アーム２の他端には、後述する壁掛け部材に照明ユニット１０を取り付けるための取付部としての取付孔５を設けてある。なお、アーム２の取付孔５の周辺は、２つのアーム２を重ねて取り付けることができるように厚み（幅）を約半分にしてある。
【００３３】
アーム２の中途部には、光源の向きを設定するための設定部材としてのヒンジ４を設けてある。ヒンジ４を屈曲させることにより、アーム２を曲げることができ、光源の方向、すなわち、拡散板３の板面の向きを変えることができる。なお、ヒンジ４を設ける代わりに、予めアーム２の中途部でアーム２を屈曲させて成形しておくこともできる。また、ヒンジ４に代えて、例えば、フレーム１をアーム２の端部を支点として可動させるような部材を用いることもできる。光源の向きを設定することができることにより、壁掛けタイプの表示装置の周辺を照明する場合であっても、表示装置の寸法、表示装置の壁体からの取付間隔などに関わらず、表示装置後方の壁体の所望の範囲を明るくすることができる。
【００３４】
フレーム１には、光源のＬＥＤモジュールを所要の明るさ、色合いで点灯するため、ＬＥＤモジュールに供給する電流を制御するための定電流回路が組み込まれた電源部６を設けてある。
【００３５】
図２は照明ユニット１０の取付構造の一例を示す正面図であり、図３は照明ユニット１０の取付構造の一例を示す斜視図であり、図４は照明ユニット１０の取付構造の一例を示す側面図である。照明ユニット１０は、表示装置２０を壁体に装着する場合、表示装置２０の背面と壁面との間に配置すべく取り付けられる。図２及び図３の例は、表示装置２０の背面側（前面側に表示画面を有する）の状態を示す。また、図２及び図３は表示装置２０の背面の上下左右それぞれの縁部付近に照明ユニット１０を４個配置した例を示す。なお、図２及び図３において、照明ユニット１０は、表示装置２０の上下側縁部付近に配置したものが左右縁部付近に配置したものよりも光源の長さ（フレーム１の長さ）が長いものを使用しているが、これに限定されるものではない。また、図４では、表示装置２０の左右それぞれの縁部付近に配置した照明ユニット１０を省略している。
【００３６】
表示装置２０を壁体に装着するための壁掛け部材は、装置側壁掛け部材３０及び壁側壁掛け部材４０を有する。装置側壁掛け部材３０は、断面が略コの字状であって適長の板体である。なお、断面形状は、略コの字状に限定されるものではない。装置側壁掛け部材３０の両端部には、表示装置２０の背面に装置側壁掛け部材３０を螺子（不図示）で取り付けるための取付孔３１を設けてある。なお、取付孔３１の寸法は、照明ユニット１０のアーム２の取付孔５と同じ寸法にしてある。装置側壁掛け部材３０、３０は、螺子を取付孔３１に通して締め付けることにより表示装置２０の背面に適長離隔して取り付けられる。
【００３７】
表示装置２０に装置側壁掛け部材３０を取り付ける場合に、照明ユニット１０の取付孔５を装置側壁掛け部材３０の取付孔３１に合わせて螺子（不図示）を締め付けることにより、照明ユニット１０を取り付けることができる。照明ユニット１０を取り付ける場合に新たな部材を必要としないため、表示装置２０を壁体に装着する場合、あるいは、すでに表示装置２０が壁体に装着された状態でも照明ユニット１０を容易に取り付けることができる。
【００３８】
壁側壁掛け部材４０は、板状であって適長の２つの横部材４１、４１、及び板状であって適長の２つの縦部材４２、４２を備え、横部材４１、４１、縦部材４２、４２を井桁状に構成してある。横部材４１の長手方向に沿った両縁部は、断面が略Ｌ字状に形成してあり、壁面に当接する当接面をなしている。横部材４１の四隅には、壁側壁掛け部材４０を壁体に取り付けるための取付孔４１１を形成してあり、螺子（不図示）を取付孔４１１に通して締め付けることにより壁側壁掛け部材４０を壁体に固定することができる。
【００３９】
表示装置２０及び照明ユニット１０を壁体に取り付けるには、まず、壁体の所要の位置に壁側壁掛け部材４０を固定しておく。そして、装置側壁掛け部材３０と照明ユニット１０が取り付けられた表示装置２０を壁側壁掛け部材４０の方へ近づけることにより、装置側壁掛け部材３０と壁側壁掛け部材４０とを固定部材（不図示）で固定する。
【００４０】
装置側壁掛け部材３０を壁側壁掛け部材４０に固定する固定部材は、どのような形状又は態様のものであってもよい。例えば、固定部材として、棒状の金具と該棒状の金具を挿通させる挿通孔でもよく、フック状の部材と該フック状の部材を係止する係止孔又は係止溝でもよく、断面がＵ字状の隙間を有するクリップと該クリップの隙間に係合する板状部材でもよい。
【００４１】
上述のように、表示装置２０に装置側壁掛け部材３０を取り付ける際に照明ユニット１０も取り付けることができるので、例えば、照明器具を表示装置の本体に固定する場合に使用する両面テープ等が不要となり、表示装置本体の汚れ又は傷などの発生を防止することができる。また、光源を収容したフレーム１が表示装置２０の背面から離隔するように構成してあるため、照明ユニット１０の光源が表示装置２０の背面と接触しないため、表示装置２０及び照明ユニット１０の両者の熱干渉を防止することができ、放熱効率も向上する。
【００４２】
また、照明ユニット１０を取り付けた状態で、表示装置２０の周辺の壁面を照らすことができ、壁掛けタイプの表示装置に対する間接照明環境を観賞者に提供することができる。また、ヒンジ４を調節することにより、拡散板３の向きを所望の方向に変えることができるので、壁掛けタイプの表示装置の周辺を照明する場合に、表示装置の寸法、表示装置の壁面からの取付間隔などに関わらず、表示装置後方の壁面の所望の範囲を明るくすることができる。
【００４３】
図５は照明ユニット１０の構成の一例を示すブロック図である。図５では、４つの照明ユニット１０を備える構成であるが、照明ユニット１０の数は４つに限定されるものではなく、１〜３のいずれであってもよい。また、５以上であってもよい。図５に示すように、各照明ユニット１０は、定電流回路７、ＬＥＤモジュール８などを備え、制御ユニット１１に接続してある。
【００４４】
制御ユニット１１は、例えば、表示装置２０の上面に配置され、受光部１２、光源制御部１３などを備える。受光部１２は、観賞者の操作に応じてリモコンから送信された入力信号を受信する。入力信号は、例えば、照明ユニット１０の照明をオン／オフするための照明オン／オフ信号、照明ユニット１０の照明の輝度、輝度分布、色度などを制御する照明制御信号などを含んでいる。
【００４５】
光源制御部１３は、交流電圧（ＡＣ１００Ｖ）を所定の直流電圧に変換する変換回路（不図示）、各照明ユニット１０内の定電流回路７を制御するための制御回路（不図示）などを備えている。光源制御部１３は、入力信号に照明オン信号が含まれる場合、取得した照明制御信号に応じた光源制御データを生成し、生成した光源制御データを定電流回路７へ出力する。光源制御データは、例えば、ＬＥＤモジュール８に流す電流値、電流を流すタイミングを決定するパルス幅変調のためのデューティ比などである。
【００４６】
なお、光源が赤色（Ｒ）ＬＥＤ素子、青色（Ｂ）ＬＥＤ素子、緑色（Ｇ）ＬＥＤ素子の三色のＬＥＤ素子をパッケージした表面実装型のパッケージＬＥＤである場合には、ＲＧＢの各色のＬＥＤ素子毎に輝度を制御することにより、色度が制御可能である。
【００４７】
また、光源制御部１３は、複数の照明ユニット１０を取り付ける構成の場合、各照明ユニット１０の取り付け位置に応じて各照明ユニット１０の光源の光量を設定する。例えば、表示装置２０の四辺の縁部付近に同一定格又は大きさの照明ユニット１０を４個取り付ける場合、表示装置２０の上側縁部及び下側縁部付近に配置した照明ユニット１０の光源の光量が、左右縁部付近に配置した照明ユニット１０の光源の光量よりも多くなるように光量を設定する。これにより、表示装置２０の周辺の明るさを表示装置２０の上下左右の周辺で変えたい場合でも、光量又は大きさの異なる照明ユニットを取り付ける必要がなく、共通の照明ユニットを用いることができる。
【００４８】
図６は照明ユニット１０の取り付け間隔を調節する調節部材１４の例を示す平面図である。調節部材１４は、照明ユニット１０を装置側壁掛け部材３０に固定する場合、両者の取り付け間隔（取付ピッチ）が異なるときに、取り付け間隔の違いを調整するためのものである。調節部材１４は、適長の板状であって、照明ユニット１０のアーム２に設けられた取付孔５と同じ寸法の取付孔１５（１５ａ、１５ｂ、１５ｃ、１５ｄ）を適長の離隔寸法で複数設けてある。
【００４９】
例えば、装置側壁掛け部材３０の取り付け間隔が、取付孔１５ａ同士の間隔に一致する場合、図６に示すように、照明ユニット１０は、取付孔１５ｃを使って取り付けるとともに、照明ユニット１０が取り付けられた調節部材１４を取付孔１５ａを使って装置側壁掛け部材３０に取り付ける。照明ユニット１０を直接装置側壁掛け部材３０に取り付けることができない場合でも、照明ユニット１０を間接的に装置側壁掛け部材３０に取り付けることができる。これにより、照明ユニットの定格又は寸法が異なることにより、装置側壁掛け部材３０との取り付け間隔が異なる場合であっても、共通の壁掛け部材（装置側壁掛け部材３０及び壁側壁掛け部材４０）を用いて照明ユニットを取り付けることができる。
【００５０】
同様に、表示装置の大きさの違いにより壁掛け部材の取り付け寸法が表示装置毎に異なる場合でも、調整部材１４を用いることにより照明ユニット１０を取り付けることが可能となる。
【００５１】
図７は照明ユニット１０の光源の配置例を示す模式図である。図７（ａ）の例は、フレーム１（光源の収容部）を表示装置２０の背面の上側縁部付近にのみ配置した状態を示す。この場合、照明ユニット１０は１つ使用する。また、図７（ｂ）の例は、フレーム１を表示装置２０の背面の上側縁部付近及び下側縁部付近に配置した状態を示す。この場合、照明ユニット１０は２つ使用する。また、図７（ｃ）の例は、フレーム１を表示装置２０の背面の右側縁部付近及び左側縁部付近に配置した状態を示す。この場合、照明ユニット１０は２つ使用する。さらに、図７（ｄ）の例は、フレーム１を表示装置２０の背面の上側縁部付近、右側縁部付近及び左側縁部付近に配置した状態を示す。この場合、照明ユニット１０は３つ使用する。
【００５２】
上述のように、表示装置２０の背面の上側縁部付近、下側縁部付近、左側縁部付近、右側縁部付近のいずれか、若しくはこれらの組み合わせ又はすべてに照明ユニット１０を配置することにより、表示装置２０の壁掛け位置に応じて、観賞者が表示装置２０の画面に映し出される映像を観賞する場合、表示装置２０の後方にある壁面の見え方を変えることができ、観賞者の好みの照明環境を実現することができる。
【００５３】
上述の図４の例では、照明ユニット１０を装置側壁掛け部材３０に取り付ける場合、アーム２を表示装置２０と装置側壁掛け部材３０との間に挟むように配置する構成であったが、これに限定されるものではない。
【００５４】
図８は照明ユニット１０の取付構造の他の例を示す側面図である。図８（ａ）に示すように、照明ユニット１０のアーム２を装置側壁掛け部材５０に取り付ける場合、アーム２が装置側壁掛け部材５０と壁側壁掛け部材６０との間に挟まれるように配置することもできる。これにより、照明ユニット１０の光源を表示装置２０の背面からさらに離隔させることができ、放熱効率が一層向上する。なお、アーム２を壁側壁掛け部材６０と壁体との間に配置してもよい。この場合、光源の向きが壁面の所要の範囲を照明するようにアーム２の形状を適宜変更すればよい。
【００５５】
また、図８（ｂ）に示すように、照明ユニット１０のアーム２を装置側壁掛け部材５１に取り付ける場合、アーム２が装置側壁掛け部材５１のみに接するように配置することもできる。これにより、表示装置２０を壁体に装着した後で照明ユニット１０を取り付ける場合、装置側壁掛け部材５１を壁側壁掛け部材６１から外すことなく、表示装置２０を壁体に装着したままの状態で照明ユニット１０を取り付けることができる。なお、この場合、照明ユニット１０を装置側壁掛け部材５１に取り付けるための方法は、表示装置２０と壁体との隙間にアクセスすることで容易に取り付けることができるものであることはいうまでもない。
【００５６】
また、図４の例において、アーム２と表示装置２０との間にスペーサを設ける構成としてもよい。これにより、光源を表示装置２０の背面からさらに離隔させることができ、照明ユニット１０と表示装置２０との熱干渉を一層防止することができる。
【００５７】
図９は照明ユニット１０を備えた装置側壁掛け部材７０の構造を示す正面図である。図９の例は、照明ユニット１０と装置側壁掛け部材７０とが一体構造をなすものである。図９に示すように、装置側壁掛け部材７０は、矩形状の枠体であり、四隅に照明ユニット１０のアーム２を固定してある。なお、照明ユニット１０の数は４つに限定されるものではない。また、上述の例と同一の箇所は同一符号を付して説明を省略する。これにより、壁掛け部材を用いて表示装置２０を壁体に装着する際に照明ユニットも取り付けることができ、照明ユニットを直接表示装置に取り付けるための両面テープ等が不要となり、表示装置本体の汚れ又は傷などの発生を防止することができるとともに、照明ユニット及び表示装置の両者の発熱による悪影響も防止することができる。
【００５８】
以上説明したように、本発明によれば、壁掛け部材を用いて表示装置を壁体に装着する際に照明ユニットを壁掛け部材に固定することができ、照明ユニットを直接表示装置に取り付けるための両面テープ等が不要となり、表示装置本体の汚れ又は傷などの発生を防止することができるとともに、照明ユニット及び表示装置の両者の発熱による悪影響も防止することができる。また、従来使用していた壁掛け部材をそのまま用いて照明ユニットを取り付けることができるので、壁掛けタイプの表示装置であれば、どのような表示装置に対しても照明ユニットを取り付けることができる。
【００５９】
上述の実施の形態では、アームの中途部を屈曲させた構造であったが、これに限定されるものではなく、屈曲させずに直線状のアームでもよい。この場合、例えば、フレーム内に収容する基板面をフレーム底部に対して傾けて配置すること、あるいは、拡散板を傾けて配置することにより、ＬＥＤモジュールからの光の方向をアームの向きに対して傾けることでアームを屈曲させたのと同等の効果を得ることができる。
【００６０】
上述の実施の形態では、照明ユニットは、フレームに２つのアームを固定した構成であるが、これに限定されるものではなく、フレームの中央部に１つのアームを固定する構成でもよい。また、フレームは直線状の形状に限定されるものではなく、曲線状の形状であってもよい。また、複数の照明ユニットのアームの先端部同士を繋いで１つの照明ユニットとして構成することもできる。
【００６１】
上述の実施の形態では、壁側壁掛け部材は、横部材と縦部材をそれぞれ２つずつ備え、それらを井桁状に構成しているが、本構成に限定されない。例えば、壁側壁掛け部材は、１つの幅の広い板状の横部材と２つの縦部材から構成することもできる。
【００６２】
上述の実施の形態において、照明ユニット、光源の配置は一例であり限定されるものではなく、照明ユニットの光源が表示装置の背面から離隔し、壁掛け部材の外側に配置できるものであれば、どのような構造であってもよい。
【００６３】
上述の実施の形態では、照明ユニットのアームの取り付け間隔を調節するため複数の取付孔を設けた調節部材を用いる構成であったが、これに限定されるものではなく、例えば、フレームの底面にレール状の部材を設けておき、アームの先端部が前記レール状の部材に対して摺動可能にするとともに、所定の位置で固定するためのロック機構を設ける構成とすることもできる。
【図面の簡単な説明】
【００６４】
【図１】本発明に係る照明ユニットの外観斜視図である。
【図２】照明ユニットの取付構造の一例を示す正面図である。
【図３】照明ユニットの取付構造の一例を示す斜視図である。
【図４】照明ユニットの取付構造の一例を示す側面図である。
【図５】照明ユニットの構成の一例を示すブロック図である。
【図６】照明ユニットの取り付け間隔を調節する調節部材の例を示す平面図である。
【図７】照明ユニットの光源の配置例を示す模式図である。
【図８】照明ユニットの取付構造の他の例を示す側面図である。
【図９】照明ユニットを備えた装置側壁掛け部材の構造を示す正面図である。
【符号の説明】
【００６５】
１  フレーム
２  アーム
３  拡散板
４  ヒンジ
５、１５、３１  取付孔
６  電源部
７  定電流回路
８  ＬＥＤモジュール
１０  照明ユニット
１１  制御ユニット
１２  受光部
１３  光源制御部
１４  調節部材
３０、５０、５１、７０  装置側壁掛け部材
４０、６０、６１  壁側壁掛け部材
４１１  取付孔
【図１】
2009259640.tif 000003
【図２】
2009259640.tif 000004
【図３】
2009259640.tif 000005
【図４】
2009259640.tif 000006
【図５】
2009259640.tif 000007
【図６】
2009259640.tif 000008
【図７】
2009259640.tif 000009
【図８】
2009259640.tif 000010
【図９】
2009259640.tif 000011